(57)【要約】      （修正有）【課題】角パイプの回転が継続的に円滑な作動をする軸受け構造を提供する。【解決手段】外殻輪８の左右に臨ませた帽状回転体９の内輪部１３外側に、各外向き突起１６間に球体Ｂを取り付ける空間１５を備えたナイロン製の遊動輪１４を嵌合し、帽状回転体９の角形開口１０に挿通した角パイプが球体Ｂに沿って回転する帽状回転体９と連動する。前記ナイロン製の遊動輪１４によって余分な摩擦抵抗が生ぜずグリス切れによる擦過痕や擦過音を防止することができる。【選択図】図３
0003172807.tif 000002
【実用新案登録請求の範囲】
【請求項１】
温室躯体に固定される取付脚と一体に形成した外殻輪の左右に、奥端部を角形開口とした帽状回転体を臨ませ且つ該帽状回転体の内輪部外側に、端部周方向に外向き直角状に形成した突起間に球体を取り付ける湾曲状の空間を備えてなるナイロン製の遊動輪を嵌合するとともに左右の回転体の奥端部をネジ止めし、前記角形開口に角パイプを挿通して角パイプが球体に沿って回転する帽状回転体と連動することを特徴とする温室カーテン用角パイプの軸受け構造。
【考案の詳細な説明】
【技術分野】
【０００１】  本考案は温室カーテンの天井近傍等に張架される角パイプを回転軸支する温室カーテン用角パイプの軸受け構造に関する。
【背景技術】
【０００２】  植物栽培用温室には、カーテンフィルムを巻き取り巻き戻しするための回転軸を軸支したり、フィルム移送ワイヤーの滑車に連動させる回転軸を支持するもの、或いはモーターにより正逆回転する回転軸としての角パイプを回転自在に取り付けることで温室中央付近に設けたラック部材の直線往復運動によりカーテンを開閉するなどの目的を持った多数の軸受けが使用されている（例えば特許文献１、２参照）。
【先行技術文献】
【特許文献】
【０００３】
【特許文献１】特開２００４−１６１３９４号公報
【特許文献２】特開平１１−５６１１９号公報
【考案の概要】
【考案が解決しようとする課題】
【０００４】  従来文献に示されたものは夫々の使用目的に合った軸受けが図示されているにすぎず、その構造について特段触れられているわけではなく、従来既存の軸受けの持つ基本的態様を踏襲しているものと思われる。一般に知られているものとしての転がり軸受けにせよスラスト軸受けにせよ通常のものは転動体を収納したベアリングにグリスを塗布して回転駆動させるものであり、長期使用をするとグリスの乾きや褪色、転動体の錆び発生、更には経年劣化によって回転動作が鈍くなるだけでなく、回転軸との間に異常音を発生するなどの不具合が浮上することは否めず、ひいてはカーテンの巻き取り操作にも支障を生じてそのための修理に多大な費用と労力を費消するといった問題点があった。【０００５】  温室は１００メートル以上の大型のものが珍しくなく、それらは設置費用も莫大となるので一箇所の不具合が発生して修理を施すとなるとその間のカーテン開閉操作が中断されてしまい当該業者の蒙るマイナスも計り知れず、したがって回転軸が正しく作動するための軸受けには本来更なる改良が必要であるといえる。【０００６】  本考案はこのような課題に鑑みてなされたものであり、温室における正逆回転する回転軸、なかんずく角パイプの正常運転を継続たらしめることのできる軸受け構造を提供することを目的として開発されたものである。
【課題を解決するための手段】
【０００７】  上記目的を達成するために本考案は、温室躯体に固定される取付脚と一体に形成した外殻輪の左右に、奥端部を角形開口とした帽状回転体を臨ませ且つ該帽状回転体の内輪部外側に、端部周方向に外向き直角状に形成した突起間に球体を取り付ける湾曲状の空間を備えてなるナイロン製の遊動輪を嵌合するとともに左右の回転体の奥端部をネジ止めし、前記角形開口に角パイプを挿通して角パイプが球体に沿って回転する帽状回転体と連動することを特徴としている。
【考案の効果】
【０００８】  本考案の帽状回転体には内輪部の外側にナイロン製の遊動輪が嵌合し、その遊動輪周縁に列設してある突起間の空間には球体が取り付けられている。遊動輪はナイロン製であるから従来のベアリングとは異なり摩擦抵抗が少なく長期使用に耐えて錆び付いたり変褪色及び変形することもない。また金属製の外殻輪や帽状回転体に対し擦過痕や擦過音を生ずることもないため軸受け全体の正常な作動を維持できてその寿命を長く保つことができる。【０００９】  遊動輪に取り付けられている球体は従来品を使用でき、突起を形成した遊動輪は型成型により得られるため安価量産に好適する実益と、外殻輪と帽状回転体の間に介在する遊動輪によって両者の回転動作がスムースとなる結果、スラスト荷重・ラジアル荷重に対する軸受けのストレスが低減されて角パイプの稼動も正しく継続し、カーテンフィルムの開閉等も支障を生ずることがなく、そのため余分な修理、出費も抑えられるなどその効果は計り知れないものがある。
【図面の簡単な説明】
【００１０】
【図１】本考案を実施する温室の概略図である。
【図２】本案軸受けの外観図である。
【図３】軸受けの詳細説明図である。
【考案を実施するための形態】
【００１１】  図面の実施形態につき本考案を説明すると、図１に示す温室１には、天井と室内を仕切るカーテン２が設けられ、カーテン２は開閉自在で移送ワイヤー３の動きに応じて開放したり閉鎖されて温室１内の温度を適切に保つ機能を発揮する。ワイヤー３は原動機を駆動すると回転する方形状の角パイプ４とともにドラム（図示せず）が回転するのに伴い、滑車５を介して往復動するものであり、角パイプ４は本案軸受け６によって支持される。
【００１２】  図２に示した軸受け６の外観は従来品と大差はなく、すなわち温室躯体１ａの一部に固定される取付脚７と一体に形成された外殻輪８の左右に帽状回転体９が臨み帽状回転体９は、前記角パイプ４の挿通する角形開口１０を有する夫々の奥端部１１の個所でネジ止め１２されて一体状となっている。
【００１３】  図３に示すとおり、軸受け６における帽状回転体９の内輪部１３の外側には、前記外殻輪８の凹輪部８ａと、帽状回転体９の側輪部９ａとの間に位置する球体Ｂを取り付けたナイロン製の遊動輪１４が配置されている。この遊動輪１４は球体Ｂを取り付けるための空間１５を有する突起１６を正面視観覧車のように周縁全体に列設したもので、夫々の突起１６の間において球体Ｂの動きは自由回動する。
【００１４】  各突起１６は遊動輪１４の周方向にあって外向き直角状であり、隣接するもの同士が球体Ｂの曲面にフィットするように湾曲に形成され、球体Ｂは帽状回転体９の側輪部９ａと外殻輪８の凹輪部８ａとの間に挟まれてそれらの壁面に沿って転動するが、同時に遊動輪１４が凹輪部８ａと側輪部９ａとに接触して回転するため従来の金属ベアリングのような大きな摩擦抵抗は生ぜず、回転動作に負荷がかかりにくく角パイプ４の正逆回転が繰り返されても外殻輪８、帽状回転体９の動きが滞るということがない。
【００１５】  角パイプ４を軸支する軸受け６は、主としてカーテン２の動きと関連する個所に使用されるものであるが、その取り付け個所は温室１の躯体１ａを構成する梁材等の部位に応じて取付脚７の形状も図示のものに限定されず、また軸受けとして温室内装置以外の使用目的に対応できることも勿論である。
【００１６】  なお外殻輪８・帽状回転体９等の素材は従来品と特に変更はなく、また回転を円滑にするためにグリスを施すことや躯体への取り付け手段も特に目新しいものではないため説明を省略したが、遊動輪１４はナイロン製が好適するものの同じ効果を奏するものであればそれらの素材も含まれる。
【符号の説明】
【００１７】１    温室        １ａ  躯体
４    角パイプ    ６    軸受け
７    取付脚      ８    外殻輪
９    帽状回転体  １０  角形開口
１１  奥端部      １２  ネジ止め
１３  内輪部      １４  遊動輪
１５  空間        １６  突起
Ｂ    球体
【図１】
0003172807.tif 000003
【図２】
0003172807.tif 000004
【図３】
0003172807.tif 000005
【手続補正書】
【提出日】平成23年10月24日(2011.10.24)
【手続補正１】
【補正対象書類名】図面
【補正対象項目名】図２
【補正方法】変更
【補正の内容】
【図２】
0003172807.tif 000006
【手続補正２】
【補正対象書類名】図面
【補正対象項目名】図３
【補正方法】変更
【補正の内容】
【図３】
0003172807.tif 000007